(57)【要約】  【課題】  ＶＣＲ側の磁気テープからＤＶＤレコーダ側のＤＶＤへの情報のダビング記録時に、ＤＶＤにおいて、タイトルが無駄に記録されることなく、また、ユーザによる後々の編集作業も不要にすることができる機能を有する一体型情報記録再生装置を提供する。  【解決手段】  ダビングを開始し、不正コピー防止信号を検出した後、ＶＣＲからの通常のビデオ信号を検出しないときは、ダビングを終了させ、ＤＶＤのタイトルを残しておく。通常のビデオ信号を検出したときは、ダビングを再開する。不正コピー防止信号が検出されていなく、ダビングが所定時間を超えて継続であるときには、不正コピー防止信号の検出判定処理に戻り、同様な処理を行う。ダビングが所定時間以内であり、ダビングを停止させるときは、ダビング時にバッファメモリに一時的に格納されたデータをＤＶＤには書き込まない。【選択図】      図２
2006196097.tif 000002
【特許請求の範囲】
【請求項１】
磁気テープに対して情報の記録／再生を行う磁気記録再生装置と、光ディスクに対して
情報の記録／再生を行う光ディスク記録再生装置とを備え、それぞれの装置が独立して記
録／再生が可能で、且つ、両装置間で相互の情報をダビング記録動作が可能な状態に接続
されている一体型情報記録再生装置において、前記磁気記録再生装置側の磁気テープから
前記光ディスク記録再生装置側の光ディスクへ情報をダビングする際に、前記磁気記録再
生装置からの不正コピー防止信号が所定時間入力されたとき該不正コピー防止信号を検出
したと判定する不正コピー防止信号検出判定手段と、前記不正コピー防止信号が検出され
た後、通常のビデオ信号を検出したか否かを判定するビデオ信号検出判定手段と、前記通
常のビデオ信号が検出されたときダビングを再開させるダビング再開手段と、前記通常の
ビデオ信号が検出されなかったときダビングを終了させるダビング終了手段と、前記不正
コピー防止信号検出判定手段により不正コピー防止信号が検出されなかったときダビング
が所定時間を超えて継続であるか否かを判定するダビング継続判定手段と、前記ダビング
の継続が所定時間以内であるとダビング継続判定手段により判定され、ダビングを停止さ
せるときはダビング時にバッファメモリに一時的に格納されたデータを光ディスクには書
き込まないようにする書込み制御手段と、前記ダビングが所定時間を超えて継続であると
ダビング継続判定手段により判定されたとき前記不正コピー防止信号検出判定手段の処理
に移行させる処理移行手段とを有するシステムコントローラを備えたことを特徴とする一
体型情報記録再生装置。
【請求項２】
磁気テープに対して情報の記録／再生を行う磁気記録再生装置と、光ディスクに対して
情報の記録／再生を行う光ディスク記録再生装置とを備え、それぞれの装置が独立して記
録／再生が可能で、且つ、両装置間で相互の情報をダビング記録動作が可能な状態に接続
されている一体型情報記録再生装置において、前記磁気記録再生装置側の磁気テープから
前記光ディスク記録再生装置側の光ディスクへ情報をダビングする際に、前記磁気記録再
生装置からの不正コピー防止信号を検出した後、通常のビデオ信号が検出されたときはダ
ビングを再開させ、前記通常のビデオ信号が検出されなかったときはダビングを終了させ
、ダビングの継続が所定時間以内であるときにダビングを停止させるときはダビング時に
バッファメモリに一時的に格納されたデータを光ディスクには書き込まないように制御し
、ダビングが所定時間を超えて継続であるときに、不正コピー防止信号が検出されるとダ
ビングを停止させるシステムコントローラを備えたことを特徴とする一体型情報記録再生
装置。
【請求項３】
前記システムコントローラは、前記磁気記録再生装置側の磁気テープから前記光ディス
ク記録再生装置側の光ディスクへ情報をダビングする際に、前記磁気記録再生装置からの
不正コピー防止信号が所定時間入力されたとき該不正コピー防止信号を検出したと判定す
る不正コピー防止信号検出判定手段と、前記不正コピー防止信号が検出された後、通常の
ビデオ信号が検出されなかったときダビングを終了するダビング終了手段と、前記不正コ
ピー防止信号検出判定手段により不正コピー防止信号が検出されなかったときダビングが
所定時間を超えて継続であるか否かを判定するダビング継続判定手段と、前記ダビングの
継続が所定時間以内であるとダビング継続判定手段により判定され、ダビングを停止させ
るときはダビング時にバッファメモリに一時的に格納されたデータを光ディスクには書き
込まないようにする書込み制御手段と、前記ダビングが所定時間を超えて継続であるとダ
ビング継続判定手段により判定されたとき前記不正コピー防止信号検出判定手段の処理に
移行させる処理移行手段とを有することを特徴とする請求項２に記載の一体型情報記録再
生装置。
【請求項４】
前記システムコントローラは、不正コピー防止信号が検出された後、通常のビデオ信号
を検出したか否かを判定するビデオ信号検出判定手段と、前記通常のビデオ信号が検出さ
れたときダビングを再開させるダビング再開手段とを有することを特徴とする請求項２に
記載の一体型情報記録再生装置。
【発明の詳細な説明】
【技術分野】
【０００１】
本発明は、磁気テープに対して情報の記録／再生を行う磁気記録再生装置と、光ディス
クに対して情報の記録／再生を行う光ディスク記録再生装置とを備え、それぞれの装置が
独立して記録／再生が可能で、且つ、両装置間で相互の情報をダビング記録動作が可能な
状態に接続されている一体型情報記録再生装置に関する。
【背景技術】
【０００２】
近年、磁気テープ（ビデオカセットテープ）に対して情報の記録／再生を行う磁気記録
再生装置としての例えばＶＣＲ（ビデオカセットレコーダ）と、ＤＶＤ（デジタル・バー
サタイル・ディスク）に対して情報の記録／再生を行う光ディスク記録再生装置としての
例えばＤＶＤレコーダとを備えた一体型情報記録再生装置が普及してきている。このよう
な一体型情報記録再生装置は、ＶＣＲとＤＶＤレコーダとが独立して記録／再生が可能で
あり、ＶＣＲとＤＶＤレコーダ間で相互の情報をダビング記録動作が可能な状態に接続さ
れている。
【０００３】
ＶＣＲに装填された磁気テープに断続的に記録されている複数個の番組などの情報ブロ
ックからなる情報を、ＤＶＤレコーダに装填されたＤＶＤに転送してダビングする場合、
一旦ＶＣＲにおける磁気テープの記録情報（映像情報と音声情報）全てを、ＶＣＲとＤＶ
Ｄレコーダ間を接続している接続コードを介して、それぞれ映像信号と音声信号として、
ＤＶＤレコーダにおけるＤＶＤにダビングし、その後、ＤＶＤレコーダに備えられている
編集機能を活用して、ユーザ自らが、必要とする情報に関する編集を行っている。
【特許文献１】特開２００４−２８８３００号公報
【発明の開示】
【発明が解決しようとする課題】
【０００４】
ところで、マクロビジョン（Macrovision）技術に代表されるような不正コピー防止機
能を有する不正コピー防止信号が含まれている磁気テープの情報をＤＶＤにダビングする
場合、不正コピー防止信号によりコピー動作が禁止されている情報（コピー禁止情報）、
即ち、ユーザが意図しないようなダビング禁止情報までも、そのまま、ＤＶＤにダビング
記録されてしまい、結果として、後々、コピー禁止情報を改めて、消去する作業が生じて
、編集作業に手間がかかり、使い勝手が劣ると言う課題があった。
【０００５】
そこで、特許文献１の従来技術では、例えば、磁気記録再生装置側の磁気テープから光
ディスク記録再生装置側の光ディスク（ＤＶＤ）へ情報をダビング記録する際に、ダビン
グ元となる磁気記録再生装置が磁気テープから再生される情報に含まれている不正コピー
防止信号を検出する不正コピー防止信号検出手段を備え、この不正コピー防止信号検出手
段により不正コピー防止信号が検出された場合、ダビング先となる光ディスク記録再生装
置へ情報を転送する動作を停止させるようにし、また、不正コピー防止信号により再生不
可能な情報のダビング記録をスキップさせている。
【０００６】
しかしながら、不正コピー防止信号が検出されてからダビング記録が停止するまでの間
、または不正コピー防止信号が検出されてから再生不可能な情報のダビング記録をスキッ
プさせるまでの間、光ディスク（ＤＶＤ）においては、例えば１，２秒分のタイトルが無
駄に記録されるので、記録領域も無駄に使用され、また、ユーザが後々の編集時に１，２
秒無駄に記録されたタイトルをわざわざ消去する作業をしなければならず、この結果、編
集に手間がかかり、使い勝手が劣ると言う課題が生じる。
【０００７】
本発明は、上記のような課題を解決するためになされたもので、磁気記録再生装置（Ｖ
ＣＲ等）側の磁気テープから光ディスク記録再生装置（ＤＶＤレコーダ等）側の光ディス
ク（ＤＶＤ）への情報のダビング記録時に、光ディスク（ＤＶＤ）において、タイトルが
無駄に記録されることなく、また、ユーザによる後々の編集作業も不要にすることができ
る機能を有する一体型情報記録再生装置を提供することを目的とする。
【課題を解決するための手段】
【０００８】
上記目的を達成するために、請求項１の発明は、磁気テープに対して情報の記録／再生
を行う磁気記録再生装置と、光ディスクに対して情報の記録／再生を行う光ディスク記録
再生装置とを備え、それぞれの装置が独立して記録／再生が可能で、且つ、両装置間で相
互の情報をダビング記録動作が可能な状態に接続されている一体型情報記録再生装置にお
いて、前記磁気記録再生装置側の磁気テープから前記光ディスク記録再生装置側の光ディ
スクへ情報をダビングする際に、前記磁気記録再生装置からの不正コピー防止信号が所定
時間入力されたとき該不正コピー防止信号を検出したと判定する不正コピー防止信号検出
判定手段と、前記不正コピー防止信号が検出された後、通常のビデオ信号を検出したか否
かを判定するビデオ信号検出判定手段と、前記通常のビデオ信号が検出されたときダビン
グを再開させるダビング再開手段と、前記通常のビデオ信号が検出されなかったときダビ
ングを終了させるダビング終了手段と、前記不正コピー防止信号検出判定手段により不正
コピー防止信号が検出されなかったときダビングが所定時間を超えて継続であるか否かを
判定するダビング継続判定手段と、前記ダビングの継続が所定時間以内であるとダビング
継続判定手段により判定され、ダビングを停止させるときはダビング時にバッファメモリ
に一時的に格納されたデータを光ディスクには書き込まないようにする書込み制御手段と
、前記ダビングが所定時間を超えて継続であるとダビング継続判定手段により判定された
とき前記不正コピー防止信号検出判定手段の処理に移行させる処理移行手段とを有するシ
ステムコントローラを備えたことを特徴とする一体型情報記録再生装置を提供する。
【０００９】
この構成において、ダビングを開始すると、不正コピー防止信号検出判定手段は、不正
コピー防止信号を所定時間入力したとき、不正コピー防止信号を検出したと判定する。こ
の後、ビデオ信号検出判定手段は、磁気記録再生装置から通常のビデオ信号を検出したか
否かを判定する。前記通常のビデオ信号を検出しないときは、ダビング終了手段はダビン
グを終了させ、磁気記録再生装置の再生動作および光ディスク記録再生装置の記録動作を
停止させ、光ディスクのタイトルの記録領域を残しておく。前記通常のビデオ信号を検出
したときは、ダビング再開手段はダビングを再開する。
【００１０】
不正コピー防止信号を所定時間入力しないと判定されたときは、不正コピー防止信号が
検出されていないことになるので、ダビング継続判定手段は、ダビングが所定時間を超え
て継続であるか否かを判定する。そして、ダビングが所定時間を超えて継続であるときに
は、処理移行手段は、不正コピー防止信号検出判定手段の処理に戻り、同様な処理を行う
。一方、ダビングが所定時間以内であり、ダビングを停止させるときは、書込み制御手段
は、ダビング時にバッファメモリに一時的に格納されたデータを光ディスクには書き込ま
ない。
【００１１】
この構成によれば、磁気記録再生装置側の磁気テープから光ディスク記録再生装置側の
光ディスクへの情報のダビング記録時に、光ディスクにおいて、タイトルが無駄に記録さ
れることがないので、無駄なタイトルが増えずに済み、記録領域も有効に使用でき、また
、ユーザによる後々の編集作業も不要になり、ユーザにとっては使い勝手が良くなる。
【００１２】
請求項２の発明は、磁気テープに対して情報の記録／再生を行う磁気記録再生装置と、
光ディスクに対して情報の記録／再生を行う光ディスク記録再生装置とを備え、それぞれ
の装置が独立して記録／再生が可能で、且つ、両装置間で相互の情報をダビング記録動作
が可能な状態に接続されている一体型情報記録再生装置において、前記磁気記録再生装置
側の磁気テープから前記光ディスク記録再生装置側の光ディスクへ情報をダビングする際
に、前記磁気記録再生装置からの不正コピー防止信号を検出した後、通常のビデオ信号が
検出されたときはダビングを再開させ、前記通常のビデオ信号が検出されなかったときは
ダビングを終了させ、ダビングの継続が所定時間以内であるときにダビングを停止させる
ときはダビング時にバッファメモリに一時的に格納されたデータを光ディスクには書き込
まないように制御し、ダビングが所定時間を超えて継続であるときに、不正コピー防止信
号が検出されるとダビングを停止させるシステムコントローラを備えたことを特徴とする
一体型情報記録再生装置を提供する。
【００１３】
この構成において、磁気記録再生装置側の磁気テープから光ディスク記録再生装置側の
光ディスクへ情報をダビングする際に、システムコントローラは、前記磁気記録再生装置
からの不正コピー防止信号を検出した後、通常のビデオ信号が検出されたときはダビング
を再開させる。一方、前記通常のビデオ信号が検出されなかったときはダビングを終了さ
せる。ダビングの継続が所定時間以内であるときにダビングを停止させるときは、ダビン
グ時にバッファメモリに一時的に格納されたデータは、光ディスクには書き込まないよう
にする。ダビングが所定時間を超えて継続であるとき、不正コピー防止信号を検出すると
、ダビングを停止させる。
【００１４】
この構成によれば、磁気記録再生装置側の磁気テープから光ディスク記録再生装置側の
光ディスクへの情報のダビング記録時に、光ディスクにおいて、タイトルが無駄に記録さ
れることがないので、無駄なタイトルが増えずに済み、記録領域も有効に使用でき、また
、ユーザによる後々の編集作業も不要になり、ユーザにとっては使い勝手が良くなる。
【００１５】
請求項３の発明では、請求項２の発明において、前記システムコントローラは、前記磁
気記録再生装置側の磁気テープから前記光ディスク記録再生装置側の光ディスクへ情報を
ダビングする際に、前記磁気記録再生装置からの不正コピー防止信号が所定時間入力され
たとき該不正コピー防止信号を検出したと判定する不正コピー防止信号検出判定手段と、
前記不正コピー防止信号が検出された後、前記通常のビデオ信号が検出されなかったとき
ダビングを終了するダビング終了手段と、前記不正コピー防止信号検出判定手段により不
正コピー防止信号が検出されなかったときダビングが所定時間を超えて継続であるか否か
を判定するダビング継続判定手段と、前記ダビングの継続が所定時間以内であるとダビン
グ継続判定手段により判定され、ダビングを停止させるときはダビング時にバッファメモ
リに一時的に格納されたデータを光ディスクには書き込まないようにする書込み制御手段
と、前記ダビングが所定時間を超えて継続であるとダビング継続判定手段により判定され
たとき前記不正コピー防止信号検出判定手段の処理に移行させる処理移行手段とを有する
。
【００１６】
したがって、ダビングを開始し、不正コピー防止信号を所定時間入力したとき、不正コ
ピー防止信号を検出したと判定できる。この後、通常のビデオ信号を検出しないときは、
ダビングを終了させることができ、磁気記録再生装置の再生動作および光ディスク記録再
生装置の記録動作を停止させ、光ディスクのタイトルの記録領域を残しておくことができ
る。
【００１７】
不正コピー防止信号を所定時間入力しないと判定されたときは、不正コピー防止信号が
検出されていないことになり、ダビングが所定時間を超えて継続であるときには、不正コ
ピー防止信号検出判定手段の処理に戻り、同様な処理を行うことができる。一方、ダビン
グが所定時間以内であり、ダビングを停止させるときは、ダビング時にバッファメモリに
一時的に格納されたデータを光ディスクには書き込まないようにすることができる。
【００１８】
請求項４の発明では、請求項２の発明において、前記システムコントローラは、不正コ
ピー防止信号が検出された後、通常のビデオ信号を検出したか否かを判定するビデオ信号
検出判定手段と、前記通常のビデオ信号が検出されたときダビングを再開させるダビング
再開手段とを有するので、不正コピー防止信号が検出された後、通常のビデオ信号が検出
されたときは、ダビングを再開させることが可能になる。
【発明の効果】
【００１９】
以上のように本発明によれば、磁気記録再生装置側の磁気テープから光ディスク記録再
生装置側の光ディスクへ情報をダビングする際に、前記磁気記録再生装置からの不正コピ
ー防止信号が所定時間入力されたとき該不正コピー防止信号を検出したと判定する不正コ
ピー防止信号検出判定手段と、前記不正コピー防止信号が検出された後、通常のビデオ信
号を検出したか否かを判定するビデオ信号検出判定手段と、前記通常のビデオ信号が検出
されたときダビングを再開させるダビング再開手段と、前記通常のビデオ信号が検出され
なかったときダビングを終了させるダビング終了手段と、前記不正コピー防止信号検出判
定手段により不正コピー防止信号が検出されなかったときダビングが所定時間を超えて継
続であるか否かを判定するダビング継続判定手段と、前記ダビングの継続が所定時間以内
であるとダビング継続判定手段により判定され、ダビングを停止させるときはダビング時
にバッファメモリに一時的に格納されたデータを光ディスクには書き込まないようにする
書込み制御手段と、前記ダビングが所定時間を超えて継続であるとダビング継続判定手段
により判定されたとき前記不正コピー防止信号検出判定手段の処理に移行させる処理移行
手段とを有するシステムコントローラを備えたので、磁気記録再生装置側の磁気テープか
ら光ディスク記録再生装置側の光ディスクへの情報のダビング記録時に、光ディスクにお
いて、タイトルが無駄に記録されることがなくなり、これにより、無駄なタイトルが増え
ずに済み、記録領域も有効に使用でき、また、ユーザによる後々の編集作業も不要になり
、ユーザにとっては使い勝手が良くなる。
【００２０】
また、本発明によれば、磁気記録再生装置側の磁気テープから光ディスク記録再生装置
側の光ディスクへ情報をダビングする際に、前記磁気記録再生装置からの不正コピー防止
信号を検出した後、通常のビデオ信号が検出されたときはダビングを再開させ、前記通常
のビデオ信号が検出されなかったときはダビングを終了させ、ダビングの継続が所定時間
以内であるときにダビングを停止させるときはダビング時にバッファメモリに一時的に格
納されたデータを光ディスクには書き込まないように制御し、ダビングが所定時間を超え
て継続であるときに、不正コピー防止信号が検出されるとダビングを停止させるシステム
コントローラを備えたので、磁気記録再生装置側の磁気テープから光ディスク記録再生装
置側の光ディスクへの情報のダビング記録時に、光ディスクにおいて、タイトルが無駄に
記録されることがなくなり、これにより、無駄なタイトルが増えずに済み、記録領域も有
効に使用でき、また、ユーザによる後々の編集作業も不要になり、ユーザにとっては使い
勝手が良くなる。
【発明を実施するための最良の形態】
【００２１】
以下、添付図面を参照しつつ、本発明の実施の形態について説明する。図１は本発明の
一実施形態に係る一体型情報記録再生装置の構成を示すブロック図である。この実施形態
の磁気記録再生装置としては、ＶＨＳ方式の磁気テープ（ビデオカセットテープ）に対し
て情報の記録／再生を行うＶＣＲ（ビデオカセットレコーダ）について説明するが、磁気
テープ（ビデオカセットテープ）に対して情報の記録／再生を行うＶＴＲ（ビデオテープ
レコーダ）でも良い。
【００２２】
図１に示すように、一体型情報記録再生装置は、磁気テープ１１に対して情報の記録／
再生を行うＶＣＲ１と、光ディスクとしてのＤＶＤ（デジタル・バーサタイル・ディスク
）２１に対して情報の記録／再生を行う光ディスク記録再生装置としてのＤＶＤレコーダ
２とを備え、ＶＣＲ１とＤＶＤレコーダ２が独立して記録／再生が可能で、且つ、ＶＣＲ
１とＤＶＤレコーダ２間で相互の情報をダビング記録動作が可能な状態に接続されている
。
【００２３】
ＶＣＲ１は、映像信号用ヘッド１２ａと音声信号用ヘッド１２ｂを有し磁気テープ１１
に対して情報の読み出し／書き込みを行う磁気ヘッド１２と、再生時に磁気ヘッド１２か
らの読取信号を増幅する再生アンプ１３と、再生アンプ１３からの読取信号を再生処理し
て映像音声信号をＤＶＤレコーダ２へ出力する情報再生部１４と、コピー禁止信号生成部
１５１などを有し記録時に記録動作に関連する制御信号を生成する制御信号生成部１５と
、制御信号生成部１５からの制御信号により制御されＤＶＤレコーダ２から入力された映
像音声信号をＶＣＲ１で記録できるように処理する情報記録部１６と、情報記録部１６か
らの映像音声信号を増幅して磁気ヘッド１２に供給する記録アンプ１７とを備えている。
【００２４】
ＤＶＤレコーダ２は、ＤＶＤ２１に対して情報の読み出し／書き込みを光学的に行う光
ピックアップ２２と、再生時に光ピックアップ２２からの読取信号を増幅する再生アンプ
２３と、再生アンプ２３からの読取信号を再生処理して映像音声信号をＶＣＲ１へ出力す
る情報再生部２４と、不正コピー防止信号検出部２５１を有し再生時に再生動作に関連す
る制御信号を検出してＶＣＲ１に出力する制御信号検出部２５と、不正コピー防止信号検
出部２６１を有しＶＣＲ１からの制御信号を検出する制御信号検出部２６と、コピー禁止
信号生成部２７１を有し制御信号検出部２６からの制御信号に基づいて記録時に記録動作
に関連する制御信号を生成する制御信号生成部２７と、制御信号生成部２７からの制御信
号により制御されＶＣＲ１から入力された映像音声信号をＤＶＤレコーダ２で記録できる
ように処理する情報記録部２８と、情報記録部２８からの映像音声信号を増幅して光ピッ
クアップ２２に供給する記録アンプ２９とを備えている。
【００２５】
システムコントローラ３０は、特徴とする構成要素として、ＶＣＲ１側の磁気テープ１
１からＤＶＤレコーダ２側のＤＶＤ２１へ情報をダビングする際に、ＶＣＲ１からの不正
コピー防止信号が所定時間入力されたとき該不正コピー防止信号を検出したと判定する不
正コピー防止信号検出判定手段３１と、前記不正コピー防止信号が検出された後、通常の
ビデオ信号を検出したか否かを判定するビデオ信号検出判定手段３２と、前記通常のビデ
オ信号が検出されたときダビングを再開させるダビング再開手段３３と、前記通常のビデ
オ信号が検出されなかったときダビングを終了させるダビング終了手段３４とを有する。
【００２６】
また、システムコントローラ３０は、前記不正コピー防止信号検出判定手段３１により
不正コピー防止信号が検出されなかったときダビングが所定時間を超えて継続であるか否
かを判定するダビング継続判定手段３５と、前記ダビングの継続が所定時間以内であると
ダビング継続判定手段３５により判定され、ダビングを停止させるときはバッファメモリ
メモリ３８に格納されたデータをＤＶＤ２１には書き込まないようにする書込み制御手段
３６と、前記ダビングが所定時間を超えて継続であるとダビング継続判定手段３５により
判定されたとき前記不正コピー防止信号検出判定手段３１の処理に移行させる処理移行手
段３７とを有する。
【００２７】
図２は本実施形態において磁気テープの情報をＤＶＤにダビングする処理を説明するた
めのフローチャートである。このフローチャートを参照して磁気テープの情報をＤＶＤに
ダビングする処理について説明する。
【００２８】
先ず、ＤＶＤ２１にダビングしたい映像音声情報が記録された磁気テープ（カセットテ
ープ）１１をＶＣＲ１側に装填し、ＤＶＤレコーダ２側にそのＤＶＤ２１を装填する（ス
テップＳ１）。そして、ＤＶＤレコーダ２を記録モードに、ＶＣＲ１を再生モードにそれ
ぞれ設定し（ステップＳ２）、ダビングを開始すると（ステップＳ３）、ＤＶＤレコーダ
２における制御信号検出部２６の不正コピー防止信号検出部２６１は、ＶＣＲ１からの再
生情報に含まれる不正コピー防止信号（マクロビジョン信号）の検出を開始する（ステッ
プＳ４）。
【００２９】
システムコントローラ３０の不正コピー防止信号検出判定手段３１は、不正コピー防止
信号検出部２６１が不正コピー防止信号を例えば２秒間入力したか否かを判定し（ステッ
プＳ５）、２秒間入力があったとき、不正コピー防止信号を検出したと判定する。この２
秒間の不正コピー防止信号の入力判定は、ノイズを不正コピー防止信号として誤検出する
のを防止するためである。
【００３０】
２秒間の不正コピー防止信号を入力して不正コピー防止信号が検出されたとき、この後
、システムコントローラ３０のビデオ信号検出判定手段３２は、ＶＣＲ１の情報再生部１
４からの通常のビデオ信号を情報記録部２８が検出したか否かを判定する（ステップＳ６
）。前記通常のビデオ信号を検出しないときは、システムコントローラ３０のダビング終
了手段３４はダビングを終了させ（ステップＳ７）、ＶＣＲ１の再生動作およびＤＶＤレ
コーダ２の記録動作を停止させ（ステップＳ８）、ＤＶＤ２１のタイトルの記録領域を残
しておく。前記通常のビデオ信号を検出したときは、システムコントローラ３０のダビン
グ再開手段３３は、ステップＳ３の処理に戻り、ダビングを再開する。
【００３１】
ステップＳ５において、不正コピー防止信号を２秒間入力しないと判定されたときは、
不正コピー防止信号が検出されていないことになるので、システムコントローラ３０のダ
ビング継続判定手段３５は、ダビングが例えば１０秒を超えて継続であるか否かを判定す
る（ステップＳ９）。そして、ダビングが１０秒を超えて継続であるときには、システム
コントローラ３０の処理移行手段３７は、ステップＳ５の処理に移行させ、同様な処理を
行う。一方、ダビングが１０秒以内であり、ダビングを停止させるときは（ステップＳ１
０）、システムコントローラ３０の書込み制御手段３６は、ダビング時にバッファメモリ
３８に一時的に格納されたデータをＤＶＤ２１には書き込まない（ステップＳ１１）。
【００３２】
以上説明したように本実施形態によれば、ＶＣＲ１側の磁気テープ１１からＤＶＤレコ
ーダ２側のＤＶＤ２１への情報のダビング記録時に、ＤＶＤ２１において、タイトルが無
駄に記録されることがなくなり、これにより、無駄なタイトルが増えずに済み、記録領域
も有効に使用でき、また、ユーザによる後々の編集作業も不要になり、ユーザにとっては
使い勝手が良くなる。
【図面の簡単な説明】
【００３３】
【図１】本発明の一実施形態に係る一体型情報記録再生装置の構成を示すブロック図である。
【図２】前記実施形態において磁気テープの情報をＤＶＤにダビングする処理を説明するためのフローチャートである。
【符号の説明】
【００３４】
１    ＶＣＲ（磁気記録再生装置）
２    ＤＶＤレコーダ（光ディスク記録再生装置）
１１    磁気テープ
２１    ＤＶＤ（光ディスク）
３０    システムコントローラ
３１    不正コピー防止信号検出判定手段
３２    ビデオ信号検出判定手段
３３    ダビング再開手段
３４    ダビング終了手段
３５    ダビング継続判定手段
３６    書込み判定手段
３７    処理移行手段
３８    バッファメモリ
【図１】
2006196097.tif 000003
【図２】
2006196097.tif 000004